(57)【要約】【課題】自動車シートに取付けられる物品収納装置の提供。【解決手段】自動車シートに取付けられる物品収納装置は、自動車シートに固定される固定部品と、該固定部品に収容されて、該固定部品に沿って伸縮するロッドフレームを包含する。そのうち、該固定部品は中空管状とされ、その一端に受け板が設けられ、他端の適宜位置に該固定部品に通され、且つシートのヘッドレストフレームにネジ止めされる位置決め部品が設けられ、該ロッドフレームの一端にフック部が設けられ、他端に掛持部が設けられる。該固定部品が自動車シートにネジ止めされた後、該受け板はティッシュボックス等の物品を置くのに使われ、該ロッドフレームが該固定部品より引き出され、該ロッドフレームにごみ袋等が掛けられ、運転手シート及び助手席シートの間のスペースを有効利用でき、未使用時には該ロッドフレームを該固定部品内に押し込んで収容でき、車内内装の見た目に影響を与えることがない。【選択図】図１
0003175940.tif 000002
【実用新案登録請求の範囲】
【請求項１】
自動車シートに取付けられる物品収納装置において、
固定部品であって、中空管状とされ、その一端に、ティッシュボックス等の物品を置くための受け板が設けられ、他端の適宜な位置に少なくとも二つの貫通孔が設けられ、該貫通孔にネジ部品が通され、該ネジ部品が自動車のシートのヘッドレストフレームに係止されることにより該固定部品が自動車シートに取付けられる、上記固定部品と、
ロッドフレームであって、該固定部品に収容され、並びに該固定部品に沿って伸縮でき、その該固定部品内に置かれる一端にフック部が設けられ、他端はＵ形に折り曲げられた後に掛持部が形成され、該ロッドフレームが該固定部品より引き出され、且つ該フック部により該ネジ部品に係止されて位置決めが形成される時、該ロッドフレームの掛持部にごみ袋等の物品を掛けることができ、運転手シートと助手席シートの間のスペースを有効利用できる、上記ロッドフレームと、
を包含したことを特徴とする、自動車シートに取付けられる物品収納装置。
【請求項２】
請求項１記載の自動車シートに取付けられる物品収納装置において、該ネジ部品は一端に自動車シートのヘッドレストフレームに係止できる湾曲フック部が設けられたことを特徴とする、自動車シートに取付けられる物品収納装置。
【請求項３】
請求項１記載の自動車シートに取付けられる物品収納装置において、該固定部品は方形管とされて、組立時の位置決めが行えることを特徴とする、自動車シートに取付けられる物品収納装置。
【請求項４】
請求項１記載の自動車シートに取付けられる物品収納装置において、該ロッドフレームの掛持部に適宜な間隔が設けられ、ループ状に曲げられて位置制限部を形成し、該位置制限部は掛けられる物品の位置を制限して滑り止めとすることを特徴とする、自動車シートに取付けられる物品収納装置。
【考案の詳細な説明】
【技術分野】
【０００１】
本考案は自動車シートに取付けられる物品収納装置に係り、自動車シートにネジ止めされ、ティッシュボックス等の物品を置き、ごみ袋を掛けるのに使用され、運転手シートと助手席シートの間のスペースを有効利用する自動車シートに取付けられる物品収納装置に関する。
【背景技術】
【０００２】
一般の小型自動車は内部スペースが有限であるため、物品が置け、全ての乗客が手にしやすい場所にあるスペースを探す必要があり、そのひとつとして運転手シートと助手席シートの間もしくはルーフである。しかし、前方シートの間は、通常、収納ボックスか上に引き上げられるアームレストに占拠されるため、使用上不便であり、比較的高級な車種ではシート側辺にエアバッグが設けられるため、その他の物品を付加することはエアバッグの作用に影響を与えかねない。また、前方シートは前後及びリクライニングの位置調整が行え、付加物品も影響を受けやすい。自動車シートは通常、柔軟な材質とされるため、縛りつける方式で固定すると、使用或いは接触により簡単に移動しやすい。もし、物品をルーフに置こうとしても、サンルーフ或いは厚いスポンジのために実行できない場合があり、磁石で吸着（たとえばティッシュボックスなど）すると、乗客に不安な印象を与えかねない。
【０００３】
出願人は以上を鑑み、不断の研究、実験を重ね、自動車シートに取付けられる物品収納装置を開発し、車内における物品の設置に便利とし、且つ物品の整理、使用に便利とした。
【考案の概要】
【考案が解決しようとする課題】
【０００４】
本考案は自動車シートに取付けられる物品収納装置を提供することを目的とし、それは、自動車シートにネジ止めされ、ティッシュボックス等の物品を置き、及びごみ袋を掛けるのに使われ、運転手シートと助手席シートの間のスペースを有効利用し、車内における物品設置とその使用に便利であるものとする。
【課題を解決するための手段】
【０００５】
前述の自動車シートに取付けられる物品収納装置は、自動車シートに固定される固定部品と、該固定部品に収容されて、該固定部品に沿って伸縮するロッドフレームを包含する。そのうち、該固定部品は中空管状とされ、その一端に受け板が設けられ、他端の適宜な位置に該固定部品に通され、且つシートのヘッドレストフレームにネジ止めされる位置決め部品が設けられ、該ロッドフレームの一端にフック部が設けられ、他端に掛持部が設けられる。該固定部品が自動車シートにネジ止めされた後、該受け板はティッシュボックス等の物品を置くのに使われ、該ロッドフレームが該固定部品より引き出され、該ロッドフレームにごみ袋等が掛けられ、運転手シート及び助手席シートの間のスペースを有効利用でき、未使用時には該ロッドフレームを該固定部品内に押し込んで収容でき、車内内装の見た目に影響を与えることがない。
【０００６】
前述の自動車シートに取付けられる物品収納装置は、該受け板の側辺が波状に加工され、紐でティッシュボックス等の物品を縛りつけて固定できる。
【考案の効果】
【０００７】
本考案は掛持部を備えたロッドフレームに、自動車シートにネジ止めされる固定部品が組み合わされて、自動車シートに取付けられる物品収納装置を構成し、ティッシュボックス等の物品の固定と、ごみ袋などを掛けるのに利用され、運転手シートと助手席シートの間のスペースを有効利用する。ゆえに本考案は実用的な設計であり、新規性を有し、実用新案登録の要件を具備している。
【図面の簡単な説明】
【０００８】
【図１】本考案の立体図である。
【図２】本考案の立体分解図である。
【図３】本考案の上断面図である。
【図４】本考案の側断面図である。
【図５】本考案の組み立て実施例図である。
【図６】本考案の使用実施例図である。
【図７】本考案の受け板の別の実施例の立体図である。
【考案を実施するための形態】
【０００９】
図１及び図２を参照されたい。これらは本考案の立体図及び立体分解図である。図示されるように、本考案は自動車シートに固定される固定部品１と、該固定部品１に収容されて、該固定部品１に沿って伸縮するロッドフレーム２を包含する。そのうち、該固定部品１は中空管状（本実施例では方形管とされて位置決めできるものとされる）とされ、その一端に受け板１１が設けられ、他端の適宜な位置に二つの貫通孔１２、１３が設けられ、該貫通孔１２、１３に、一端に湾曲フック部３１、４１が設けられた二つのネジ部品３、４が通される。
【００１０】
該ロッドフレーム２の一端にはフック部２１が設けられ、他端にはＵ形に折り曲げられた後に掛持部２２が設けられ、該掛持部２２に適宜な間隔で、ループ状に曲げられた位置制限部２２１、２２２が設けられる。
【００１１】
前述の構成部品が組み合わされ、これらネジ部品３、４が該固定部品１の貫通孔１２、１３に通された後、湾曲フック部３１、４１が自動車シートのヘッドレストフレーム５１に係止され（後で説明する）、さらにナット３２、４２がネジ部品３、４に螺合されて、固定部品１が自動車シートにネジ止めされる。
【００１２】
受け板１１がティッシュボックス等の物品の設置に使われ、該ロッドフレーム２が該固定部品１より引き出され、ロッドフレーム２の掛持部２２にごみ袋等を掛けることができ、運転手シートと助手席シートの間のスペースを有効利用し、未使用時にはロッドフレーム２を固定部品１内に押し込むことができ、収納に便利で車内内装の見た目に影響を与えることがない。
【００１３】
図３、４は本考案の上断面図及び側面断面図である。図示されるように、本考案の固定部品１はネジ部品３、４で自動車シートに固定された後、固定部品１内に二つの位置決め部３３、４３が形成され、これにより、ロッドフレーム２のフック部２１が水平状態の時、該ロッドフレーム２は位置決め部３３、４３による阻止を受けず、固定部品１に対して伸縮可能である（図３のとおり）。
【００１４】
ロッドフレーム２が引き出されて使用される時、それは９０度回転させられて、それがある距離引き出された後に、フック部２１が位置決め部３３に係止されて位置決めを形成する（図４のとおり）。未使用時にはロッドフレーム２が固定部品１に押し込まれ、フック部２１が位置決め部４３に係止されて位置決めを形成する。
【００１５】
図５は本考案の組み立て実施例図である。図示されるように、本考案が組み立てられる時は、ネジ部品３、４の湾曲フック部３１、４１が自動車の前部シート５のヘッドレストフレーム５１に係止されて、固定部品１が固定され、固定部品１が運転手シート６と助手席シート５の間に置かれ、受け板１１が物品置きに使用されるか、ロッドフレーム２の掛持部２２に物品が掛けられ、これらにより車内スペースを有効利用する目的が達成される。
【００１６】
図６は本考案の使用実施例図である。図５も合わせて参照されたい。図示されるように、本考案は使用時に、固定部品１に設けられた受け板１１にティッシュボックス７を置くことができ（本実施例では、ティッシュボックス７は両面テープ或いは粘着帯で固定している、その他の物品の固定に使用される場合もある）、各乗車位置の乗客によるティシュ取り出しに便利となる。該ロッドフレーム２は引出しの後、物品収納袋８のハンドル８１を掛持部２２に掛けることができ、並びに位置制限部２２１、２２２により位置制限を形成してそのズレを防止する。さらに物品収納袋８内にプラスチックバッグ９を入れ、プラスチックバッグ９のハンドル９１を両側に伸出させた後、物品収納袋８に設けられた係止部８２に係止し、これによりゴミ袋として使用されるかその他の物品の収容に使用される。
【００１７】
図７は本考案の受け板の別の実施例の立体図である。図示されるように、本考案の固定部品１に設けられた受け板１１は、側辺に波部１１１が設けられ、並びにティッシュボックス７に配列された貫通孔７１が設けられ、紐がこれら貫通孔７１に通されて、波部１１１に係止され、ティッシュボックス７或いはその他の物品が緊縛固定される。
【００１８】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１９】
１  固定部品          １１  受け板
１１１  波部          １２  貫通孔
１３  貫通孔          ２  ロッドフレーム
２１  フック部        ２２  掛持部
２２１  位置制限部    ２２２  位置制限部
３  ネジ部品          ３１  湾曲フック部
３２  ナット          ３３  位置決め部
４  ネジ部品          ４１  湾曲フック部
４２  ナット          ４３  位置決め部
５  助手席シート      ５１  ヘッドレストフレーム
６  運転手シート      ７  ティッシュボックス
７１  貫通孔          ８  物品収納袋
８１  ハンドル        ８２  係止部
９  プラスチックバッグ  ９１  ハンドル
【図１】
0003175940.tif 000003
【図２】
0003175940.tif 000004
【図３】
0003175940.tif 000005
【図４】
0003175940.tif 000006
【図５】
0003175940.tif 000007
【図６】
0003175940.tif 000008
【図７】
0003175940.tif 000009